(57)【特許請求の範囲】
【請求項１】
時間の経過に伴い指針を回転駆動させるアナログムーブメントと、前記アナログムーブメントと略同一平面上に配設され、時刻を表示する文字板を照射する文字板照明用ＬＥＤを搭載可能な第１回路基板と、前記アナログムーブメントを、上方側から保持する保持部と、前記文字板照明用ＬＥＤを搭載可能で、前記第１回路基板の上方で前記保持部に着脱可能な第２回路基板と、を備え、前記保持部には、その上面に前記第２回路基板を収納可能な凹部が形成された時計用照射ユニットと、
前記保持部の上方に配設され、開口部を形成した文字板と、
前記文字板の前記開口部の上方に配設され、光を反射させる反射手段と、
前記第１回路基板上において前記文字板に形成した前記開口部に対向する位置に配置された前記文字板照明用ＬＥＤと、
を備え、
前記凹部には、前記文字板の前記開口部に対向する位置に第一開口部が形成されたことを特徴とするＬＥＤ表示機能付き時計。
【発明の詳細な説明】
【技術分野】
【０００１】
本発明は、ＬＥＤ（Ｌｉｇｈｔ  ｅｍｉｔｔｉｎｇ  ｄｉｏｄｅ）表示機能付き時計に組み込まれる時計用照射ユニット及びＬＥＤ表示機能付き時計に関するものである。
【背景技術】
【０００２】
従来のＬＥＤ表示機能付き時計に組み込まれた時計用照射ユニットにおいて、文字板に孔を形成するとともに、時計ケースの見切り部分に反射面を形成し、ムーブメントと略同一平面上に配設される回路基板上に、文字板照明用のＬＥＤ（Ｌｉｇｈｔ  ｅｍｉｔｔｉｎｇ  ｄｉｏｄｅ）を配設したものが提供されている（例えば、特許文献１参照）。特許文献１に記載の技術によれば、回路基板上にＬＥＤを容易に実装することができ、ＬＥＤの実装にかかる費用を低減することができる。
【０００３】
しかしながら、特許文献１に記載の技術によれば、ＬＥＤの出射光は反射板や導光板を介して文字板を照射するため、文字板全体を均一に照射することが困難となる虞れがある。
【０００４】
そこで、昨今では、ムーブメントよりも上方であって、文字板と略同一平面上に回路基板を配設し、回路基板上に文字板照明用のＬＥＤを配設したものが提供されている。（例えば、特許文献２参照）。特許文献２に記載の技術によれば、文字板照明用のＬＥＤを文字板よりも高さ方向において上方に配設し、ＬＥＤの出射光によって直接文字板を照射するため、文字板全体を均一に照射することが可能である。
【０００５】
【特許文献１】特開２００４−５３３４２号公報（図１）
【特許文献２】特開２００７−１５５５９５号公報（図１）
【発明の開示】
【発明が解決しようとする課題】
【０００６】
しかしながら、特許文献２に記載の技術によれば、ムーブメントは中枠によって位置決め支持され、回路基板は、この中枠の上方であるケースの見切り部分近傍に配設されている。このため、モジュールの厚さはムーブメントを支持する中枠の高さ寸法に回路基板の厚さ寸法を加えた分だけ厚くする必要が生じる。従って、ケース内部においてＬＥＤを配設するスペースが限られ、ＬＥＤの大きさや形状等、設計上の自由度が制約される虞れがある。
【０００７】
さらに、上述した特許文献１、２にかかる技術のいずれによっても、文字板全体の照射の均一化を図るとともに、文字板照明用のＬＥＤの大きさや形状等、設計上の自由度を確保することを同時に実現することは困難である。双方を同時に実現するためには、２種類のモジュールを作成する必要が生じる。上述したとおり、特許文献２に記載のモジュールについては、中枠の高さ寸法に回路基板の厚さ寸法を加えた分、モジュール全体の厚さ寸法は、特許文献１に記載のモジュールの厚さ寸法よりも厚くならざるを得ない。
【０００８】
本発明は上記実情に鑑みてなされたものであって、ＬＥＤを配設するために十分なスペースを確保することができるとともに、文字板照明用ＬＥＤの設計上の自由度を確保することが可能で、且つ、一つのモジュールによって、文字板全体の照射の均一化を図ることを同時に実現することが可能な時計用照射ユニット及びＬＥＤ表示機能付き時計を提供することを目的とする。
【課題を解決するための手段】
【０００９】
上述した課題を解決し、目的を達成するために、請求項１にかかる発明は、ＬＥＤ表示機能付き時計であって、時間の経過に伴い指針を回転駆動させるアナログムーブメントと、前記アナログムーブメントと略同一平面上に配設され、時刻を表示する文字板を照射する文字板照明用ＬＥＤを搭載可能な第１回路基板と、前記アナログムーブメントを、上方側から保持する保持部と、前記文字板照明用ＬＥＤを搭載可能で、前記第１回路基板の上方で前記保持部に着脱可能な第２回路基板と、を備え、前記保持部には、その上面に前記第２回路基板を収納可能な凹部が形成された時計照射ユニットと、前記保持部の上方に配設され、開口部を形成した文字板と、前記文字板の前記開口部の上方に配設され、光を反射させる反射手段と、前記第１回路基板上において前記文字板に形成した前記開口部に対向する位置に配置された前記文字板照明用ＬＥＤと、を備え、前記凹部には、前記文字板の前記開口部に対向する位置に第一開口部が形成されたことを特徴とする。
【発明の効果】
【００１４】
本発明によれば、保持部は上面に形成された凹部を備え、当該凹部に第２回路基板を完全に収納することができる。従って、第２回路基板に文字板照明用ＬＥＤを配設するＬＥＤ表示機能付き時計の構成においても本発明の時計用照射ユニットを用いることで、ケース内部において文字板照明用ＬＥＤを配設するスペースを十分に確保することができる。これにより、文字板照明用ＬＥＤの形状、大きさ等を自由に選択することが可能となる。
【００１５】
また、本発明によれば、第２回路基板は保持部の凹部に着脱可能であることから、保持部の凹部から第２回路基板を取り外して第１回路基板に文字照明用ＬＥＤを配置した構成とすることも、第２回路基板を凹部内に収納しかつ取り付けて文字照明用ＬＥＤを第２回路基板に配置した構成とすることもできる。従って、一つの時計用照射ユニットによって、文字板と略同一平面上に配設した第１回路基板上に文字板照明用ＬＥＤを配置し、出射光を反射させて文字板を照明する照明方法と、第２回路基板に文字板照明用ＬＥＤを配置し、文字板を直接照射する照明方法と、２つの照明方法に対応することが可能となる。また、ムーブメントホルダーの凹部に第２回路基板を収納する構成においては、凹部内に第２回路基板を完全に収納可能であるため、モジュールの厚さ寸法を縮減することができることができる。よって、一つの時計用照射ユニットにより文字板全体の照射の均一化を図るとともに、文字板照明用ＬＥＤの形状、大きさ等、設計の自由度を確保することを同時に実現することが可能となる。
【発明を実施するための最良の形態】
【００１６】
以下に添付図面を参照して、この発明にかかる時計用照射ユニット及びＬＥＤ表示機能付き時計の最良な実施の形態を詳細に説明する。なお、以下に示す実施の形態では、本発明の時計用照射ユニットを、ＬＥＤ（Ｌｉｇｈｔ  ｅｍｉｔｔｉｎｇ  ｄｉｏｄｅ）表示機能付き時計に組み込んだ一例を例示して説明するが、これに限定されるものではない。例えば、本発明の時計用照射ユニットを特に文字板照明用ＬＥＤによる表示機能、およびアナログ時計機能を有する腕時計や携帯電子機器等に適用することができる。
【００１７】
（実施の形態１）
図１は、実施の形態１にかかる時計用照射ユニットの断面構成を示す説明図である。
【００１８】
本実施の形態の時計用照射ユニットは、ＬＥＤ表示機能付き時計を組み立てる工程において、ＬＥＤ表示機能付き時計の一部の部品をパッケージとして組み込まれるユニットである。
【００１９】
本実施の形態にかかる時計用照射ユニットは、図１に示すように、アナログムーブメント１６、ムーブメントホルダー（保持部）１８、第１回路基板３４、第２回路基板３６と、コネクター４４と、外部照明用ＬＥＤ４０と、ＬＥＤ駆動回路４２とを備えている。
【００２０】
アナログムーブメント１６は、後述する時針３２、分針３０、秒針２８を運針軸２６周りに回転駆動するものである。アナログムーブメント１６には、円盤状の第１回路基板３４を重ね合わせられている。
【００２１】
ムーブメントホルダー１８（保持部）は、アナログムーブメント１６と同心を有し、中心部に形成した孔にアナログムーブメント１６の運針軸２６を貫通させることにより軸支されている。ムーブメントホルダー１８は、アナログムーブメント１６の側周部を固定する固定部１８ａと、後述する第２回路基板３６を保持することが可能な凹部１８ｂとを備えている。固定部１８ａは、この中心部から水平方向に外側に向かって延在した後下方に屈曲し、先端が第１回路基板３４に当接するに至るまで下方に向かって延在している。一方、凹部１８ｂは中心部から水平方向に外側に向かって延在した後、下方に屈曲し、さらに水平方向に延在した後に上方に屈曲することにより構成してある。凹部１８ｂの内側底面には、第２回路基板３６を収納し保持することが可能な保持面が形成してある。また、凹部１８ｂの保持面には、文字板照明用ＬＥＤ３８に対向する位置には第一開口部１８ｃが、外部照明用ＬＥＤ４０に対向する位置には第二開口部１８ｄが、それぞれ形成してある。
【００２２】
第１回路基板３４は、アナログムーブメント１６と同心を有する円盤状であって、アナログムーブメント１６と略同一平面上に配設される、ＬＥＤ搭載回路基板である。この第１回路基板３４には、後述する文字板照明用ＬＥＤ３８を配設することが可能である。また、この第１回路基板３４には、外部照明用ＬＥＤ４０と、ＬＥＤ駆動回路４２を配設してある。
【００２３】
外部照明用ＬＥＤ４０は、発光による出射光によって外部を照射する発光素子である。ＬＥＤ駆動回路４２は、外部操作に基づき文字板照明用ＬＥＤ３８及び外部照明用ＬＥＤ４０を点灯するＬＥＤ駆動態様を備えている。また、必要に応じて外部操作に基づき、ストップウォッチ、アラーム、タイマーなどの付加時計機能を働かせるＬＥＤ駆動態様を備える。
【００２４】
第２回路基板３６は、ムーブメントホルダー１８の凹部１８ｂに形成した保持面に着脱可能となっている。図１では、第２回路基板を取り付けた状態を示している。第２回路基板３６は、第１回路基板３４と同様に文字板照明用ＬＥＤ３８を配設することが可能な回路基板である。
【００２５】
コネクター４４は、着脱可能であり、第２回路基板３６を取り付けた状態でＬＥＤ表示機能付き時計を組み立てる場合において、第１回路基板３４と第２回路基板３６とを電気的に接続するための部材である。
【００２６】
上述した時計用照射ユニットによれば、第２回路基板３６はムーブメントホルダー１８の凹部１８ｂに着脱可能であることから、ムーブメントホルダー１８の凹部１８ｂから第２回路基板３６を取り外して第１回路基板３４に文字照明用ＬＥＤ３８を配置した構成（第１の構成）としたＬＥＤ表示機能付き時計を組み立てることができる。さらに、上述した時計用照射ユニットによれば、第２回路基板３６を凹部１８ｂ内に収納しかつ取り付けて文字照明用ＬＥＤ３８を第２回路基板３６に配置した構成（第２の構成）としたＬＥＤ表示機能付き時計を組み立てることもできる。従って、一つの時計用照射ユニットによって、文字板２０と略同一平面上に配設した第１回路基板３４上に文字板照明用ＬＥＤ３８を配置し、出射光を反射させて文字板２０を照明する照明方法と、第２回路基板３６上に文字板照明用ＬＥＤ３８を配置し、文字板２０を直接照射する照明方法と、２つの照明方法に対応することが可能である。以下、それぞれの構成について説明する。
【００２７】
（第１の構成）
第１の構成のＬＥＤ表示機能付き時計では、時計用照射ユニットにおいて、ムーブメントホルダー（保持部）１８に形成した凹部１８ｂから第２回路基板３６を取り外し、アナログムーブメント１６と略同一平面上に配設される第１回路基板３４に文字板照明用ＬＥＤ３８を配置している。図２は、実施の形態１にかかる時計用照射ユニットを組み込んだＬＥＤ表示機能付き時計の第１の構成の断面構成を示す説明図である。この図２において、符号１０は腕時計ケース、符号１２は風防ガラス、符号１４は裏蓋、符号１６はアナログムーブメント、符号１８はムーブメントホルダー、符号２０は文字板、符号２６は運針軸、符号２８は秒針、符号３０は分針、符号３２は時針、符号３４は第１回路基板、符号３８は発光する文字板照明用ＬＥＤ（Ｌｉｇｈｔ  ｅｍｉｔｔｉｎｇ  ｄｉｏｄｅ）、符号４０は外部照明用ＬＥＤ、符号４２はＬＥＤ駆動回路、符号４６は電池である。
【００２８】
腕時計ケース１０内に、アナログムーブメント１６を樹脂製のムーブメントホルダー１８で固定して収納する。アナログムーブメント１６には、中心に時針３２、分針３０、秒針２８用の運針軸２６を同心にて立てて設ける。運針軸２６は、文字板２０の中心孔まで貫通して先端を文字板２０の表側に露出する。
【００２９】
図２に示すＬＥＤ表示機能付き時計は、腕時計ケース１０の表面に風防ガラス１２を固着し、裏側に裏蓋１４をねじ付けで取り付けることにより組み立てる。運針軸２６の先端には、時針３２、分針３０、秒針２８を取り付ける。そして、文字板２０の周縁を腕時計ケース１０の見切り部に当てて、全体を腕時計ケース１０内に収納する。このようなアナログ腕時計では、通常時は、一次電池４６でアナログムーブメント１６を駆動して秒針２８、分針３０、時針３２を回転し、文字板２０の時刻表示を指して時刻をアナログ表示する。
【００３０】
文字板２０は、アナログムーブメント１６と同心を有する略円盤状であって、時刻、月日、曜日などを表示する表示部である。文字板２０は、プラスチックやガラス等からなる材料の表面に時刻数字や時数等を印刷したり、塗装することにより形成してある。この文字板２０において、文字板照明用ＬＥＤ３８に対向する位置には第一開口部２２が、外部照明用ＬＥＤ４０に対向する位置には第二開口部２４が、それぞれ形成されている。第一開口部２２、第二開口部２４は文字板２０を穿孔することにより形成しても、文字板２０の縁部を切欠くことにより形成してもよい。文字板２０に設けけた第一開口部２２は、前述したムーブメントホルダー１８の凹部１８ｂに設けた第一開口部１８ｃと対向し、文字板２０に設けた第二開口部２４は、ムーブメントホルダー１８の凹部１８ｂに設けた第二開口部１８ｄに対向して位置している。
【００３１】
腕時計ケース１０の見切り部には、反射面１０ａが形成してある。この反射面１０ａにより、文字板２０の第一開口部２２を通過した文字板照明用ＬＥＤ３８の出射光を反射することによって文字板２０の表面を照射する。反射面１０ａは、例えば鏡面仕上げをしたり、反射材を塗布したりすることにより形成する。
【００３２】
文字板照明用ＬＥＤ３８は、発光による出射光によって時刻を表示する文字板２０を照射する発光素子である。文字板照明用ＬＥＤ３８は、第１回路基板３４の形状に応じて形状や大きさを自由に選択することができる。一般的な汎用品を使用することも可能である。
【００３３】
図３は、実施の形態１にかかる時計用照射ユニットを組み込んだＬＥＤ表示機能付き時計の第１の構成の平面図である。この図３において、文字板照明用ＬＥＤ３８と、外部照明用ＬＥＤ４０が、第１回路基板３４上において３箇所にほぼ等間隔に配置してある。第１回路基板３４の直上には、ムーブメントホルダー１８が配設してある。文字板２０に形成した第一開口部２２とムーブメントホルダー１８の凹部１８ｂに形成した第一開口部１８ｃからは、文字板照明用ＬＥＤ３８の発光による照射光が通過するように構成してある。また、文字板２０に形成した第二開口部２４とムーブメントホルダー１８の凹部１８ｂに形成した第二開口部１８ｄからは、外部照明用ＬＥＤ４０の発光による照射光が通過するように構成してある。図示する腕時計には、不図示のリューズを先端に取り付ける巻真５４が、腕時計ケース１０を貫通することによりアナログムーブメント１６内に挿入してある。
【００３４】
上記構成の時計用照射ユニットにおいては、巻真５４で時刻合わせ操作とともに、文字板照明用ＬＥＤ３８及び外部照明用ＬＥＤ４０の点灯操作を行う。また、点灯操作は別途備わる点灯用スイッチによっても行うことができる。文字板２０に表示される時刻が見えづらいときなど、外部操作によりＬＥＤ駆動回路４２を駆動させて文字板照明用ＬＥＤ３８を点灯させることができる。文字板照明用ＬＥＤ３８の発光による出射光は、ムーブメントホルダー１８の凹部１８ｂに形成した第一開口部１８ｃを通過し、さらに文字板２０に形成した第一開口部２２を通過した後に反射板１０ａに反射することにより文字板２０を照射する。これにより、文字板２０に表示された時刻数字を鮮明に読み取ることが可能となる。また、暗いところで鍵穴が見えづらいときなど、外部操作によりＬＥＤ駆動回路４２を働かせて外部照明用ＬＥＤ４０のすべてを点灯することができる。そして、一次電池４６を電源として風防ガラス１２を透して外部を照射することで、一般的な腕時計ケースをそのまま使用することができ、大型化したり見映えを悪くしたりすることなく、回りを照らすことができる。
【００３５】
第１の構成によれば、第１回路基板３４に文字板照明用ＬＥＤ３８を配置するためのスペースが十分確保することができることから、文字板照明用ＬＥＤ３８の形状や大きさ等を自由に選択することができるとともに、設計上の自由度を確保し、デザイン上の制約を少なくすることができる。また、文字板照明用ＬＥＤ３８には、汎用品のＬＥＤを使用することができるため、ＬＥＤの実装作業が容易で、且つ、ＬＥＤの実装にかかる費用を削減することができるとともに、照射ユニットの組み立て作業を容易化することができる。
【００３６】
（第２の構成）
第２の構成のＬＥＤ表示機能付き時計では、時計用照射ユニットにおいて、ムーブメントホルダー１８に形成した凹部１８ｂに第２回路基板３６を配設するとともに、第２回路基板と第１回路基板３４とをコネクター４４を用いて接続し、第２回路基板３６に文字板照明用ＬＥＤ３８を配置している。
【００３７】
図４は、実施の形態１にかかる時計用照射ユニットを組み込んだＬＥＤ表示機能付き時計の第２の構成の断面構成を示す説明図である。この図４において、符号１０は腕時計ケース、符号１２は風防ガラス、符号１４は裏蓋、符号１６はアナログムーブメント、符号１８はムーブメントホルダー、符号２０は文字板、符号２６は運針軸、符号２８は秒針、符号３０は分針、符号３２は時針、符号３４は第１回路基板、符号３６は第２回路基板、符号３８は発光する文字板照明用ＬＥＤ、符号４０は外部照明用ＬＥＤ、符号４２はＬＥＤ駆動回路、符号４４はコネクター、符号４６は電池である。第２回路基板３６を配設したこと以外は、機能及び構成は第１の構成と同様である。
【００３８】
第２回路基板３６は、ムーブメントホルダー１８に形成した凹部１８ｂの内側底面に形成された保持面に着脱可能に配設してある。第２回路基板３６全体は、凹部１８ｂの保持面に配設した状態で、凹部１８ｂに完全に収納される。また、第２回路基板３６は、第１回路基板３４と、ムーブメントホルダー１８を貫通するコネクター４４により第１回路基板３４と電気的に接続してある。
【００３９】
図５は、実施の形態１にかかる時計用照射ユニットを組み込んだＬＥＤ表示機能付き時計の第２の構成の平面図である。この図５において、文字板照明用ＬＥＤ３８は、ムーブメントホルダー１８の凹部１８ｂに取り付けた第２回路基板３６上において６箇所にほぼ等間隔に配置してある。文字板照明用ＬＥＤ３８は、第２回路基板上において、文字板２０に設けた第一開口部２２を貫通する態様により配置してある。外部照明用ＬＥＤ４０は、第１回路基板３４上において３箇所にほぼ等間隔に配置してある。文字板２０に形成した第二開口部２４とムーブメントホルダー１８の凹部１８ｂに形成した第二開口部１８ｄからは、外部照明用ＬＥＤ４０の発光による照射光が通過するように構成してある。
【００４０】
上記構成の時計用照射ユニットにおいては、巻真５４で時刻合わせ操作とともに、文字板照明用ＬＥＤ３８及び外部照明用ＬＥＤ４０の点灯操作を行う。また、点灯操作は別途備わる点灯用スイッチによっても行うことができる。文字板２０に表示される時刻が見えづらいときなど、外部操作によりＬＥＤ駆動回路４２を駆動させて文字板照明用ＬＥＤ３８を点灯させることができる。これにより、文字板２０に表示された時刻数字を鮮明に読み取ることが可能となる。また、暗いところで鍵穴が見えづらいときなど、外部操作によりＬＥＤ駆動回路４２を働かせて外部照明用ＬＥＤ４０のすべてを点灯することができる。そして、一次電池４６を電源として風防ガラス１２を透して外部を照射することで、一般的な腕時計ケースをそのまま使用でき、大型化したり見映えを悪くしたりすることなく、回りを照らすことができる。
【００４１】
第２の構成によれば、ムーブメントホルダー１８に設けた凹部１８ｂに第２回路基板３６を取り付けた場合には、第２回路基板３６全体は凹部１８ｂに完全に収納される。従って、ケース１０内部において、照射ユニットの厚さ寸法を縮減することができ、文字板照明用ＬＥＤ３８を配設するスペースを十分に確保することが可能となる。また、文字板照明用ＬＥＤ３８の形状や大きさ等を自由に選択することが可能になるとともに、設計上の自由度を確保し、デザイン上の制約を少なくすることができる。
【００４２】
さらに、第２の構成によれば、文字板照明用ＬＥＤ３８によって文字板２０を直接照射することが可能である。従って、文字板全体の照射の均一化を図ることができる。
【００４３】
以上述べたように、実施の形態１にかかる時計用照射ユニットによれば、第２回路基板３６は、ムーブメントホルダー１８の凹部１８ｂに着脱可能であることから、ムーブメントホルダー１８の凹部１８ｂから第２回路基板３６を取り外して第１回路基板３４に文字照明用ＬＥＤ３８を配置した構成（第１の構成）とすることも、第２回路基板３６を凹部１８ｂ内に収納しかつ取り付けて文字照明用ＬＥＤ３８を第２回路基板３６に配置した構成（第２の構成）とすることも可能である。従って、一つの時計用照射ユニットによって、文字板２０と略同一平面上に配設した第１回路基板３４上に文字板照明用ＬＥＤ３８を配置し、出射光を反射させて文字板２０を照明する照明方法と、第２回路基板３６に文字板照明用ＬＥＤ３８を配置し、文字板２０を直接照射する照明方法と、２つの照明方法に対応することが可能となる。よって、一つの時計用照射ユニットにより文字板２０全体の照射の均一化を図るとともに、文字板照明用ＬＥＤの形状、大きさ等、設計の自由度を確保することを同時に実現することが可能となる。
【００４４】
（実施の形態２）
上述した実施の形態１では、一次電池４６を電源としてアナログムーブメント１６を駆動するとともに、文字板照明用ＬＥＤ３８及び外部照明用ＬＥＤ４０を発光させて、文字板２０や外部等の照明を行っていたが、実施の形態２は、二次電池４８を電源としてアナログムーブメント１６を駆動するとともに、文字板照明用ＬＥＤ３８及び外部照明用ＬＥＤ４０を発光させて、文字板２０や外部等の照明を行うものである。
【００４５】
図６は、実施の形態２にかかるＬＥＤ表示機能付き時計の断面構成を示す説明図である。この図６において、符号１０は腕時計ケース、符号１２は風防ガラス、符号１４は裏蓋、符号１６はアナログムーブメント、符号１８はムーブメントホルダー、符号２０は文字板、符号２６は運針軸、符号２８は秒針、符号３０は分針、符号３２は時針、符号３４は第１回路基板、符号３８は文字板照明用ＬＥＤ、符号４０は外部照明用ＬＥＤ、符号４２はＬＥＤ駆動回路、符号４８は二次電池、符号５０は充電回路、符号５２は充電コイルである。ここで、時計用照射ユニットの構成、および二次電池４８、充電回路５０、充電コイル５２以外の機能および構成については実施の形態１と同様である。
【００４６】
二次電池４８は、アナログムーブメント１６の裏蓋１４側にはアナログムーブメント１６と重ねて配置する。また、図６に示すように、二次電池４８の周囲を囲むように、不図示のコイルボビンを環状に巻き付けた充電コイル５２を取り付ける。二次電池４８と充電コイル５２とは、腕時計ケース１０内において同一平面に配置する。また、第１回路基板３４上には、充電回路５０を設ける。
【００４７】
このＬＥＤ表示機能付き時計においては、使用により二次電池４８の電池容量が低下したときは、充電回路５０を用いて電磁誘電方式により充電する。つまり、ＡＣコードを介して供給されるＡＣ電流を流して充電回路５０の一次コイルで交流磁界を発生させ、この交流磁界により充電コイル５２に交流電流を発生させ、整流回路で整流して直流電流として二次電池４８を充電する。
【００４８】
実施の形態２にかかるＬＥＤ表示機能付き時計によれば、電源として二次電池４８を使用することから、文字板照明用ＬＥＤ３８及び外部照明用ＬＥＤ４０を多用することにより電流がなくなっても電池交換をすることなく充電するだけでよい。従って、電池寿命を気にする必要がなく、かつ電池交換の煩わしさや費用を気にすることなく、照明機能を存分に使うことができる。これにより、消費電力の大きい文字板照明用ＬＥＤ３８及び外部照明用ＬＥＤ４０を用いて文字板２０若しくは外部を照射することによる欠点を解消することができる。
【００４９】
また、充電コイル５２を備え、電磁誘導方式を用いて二次電池４８を充電可能にすると、デザイン上の制約を受けないとともに、防水構造を複雑にすることなく、簡単かつ確実な充電を可能にすることができる。
【００５０】
なお、図示例では、電磁誘導方式を用いて二次電池４８を充電したが、二次電池４８を太陽電池や、直接電源端子に接続して充電するようにしてもよい。
【産業上の利用可能性】
【００５１】
以上のように、本発明にかかる時計用照射ユニットは、腕時計や携帯電子機器等に有用であり、特に文字板照明用ＬＥＤによる表示機能、およびアナログ時計機能を有する腕時計や携帯電子機器等に適している。
【図面の簡単な説明】
【００５２】
【図１】実施の形態１にかかる時計用照射ユニットの断面構成を示す説明図である。
【図２】実施の形態１にかかる時計用照射ユニットを組み込んだＬＥＤ表示機能付き時計の第１の構成の断面構成を示す説明図である。
【図３】実施の形態１にかかる時計用照射ユニットを組み込んだＬＥＤ表示機能付き時計の第１の構成の平面図である。
【図４】実施の形態１にかかる時計用照射ユニットを組み込んだＬＥＤ表示機能付き時計の第２の構成の断面構成を示す説明図である。
【図５】実施の形態１にかかる時計用照射ユニットを組み込んだＬＥＤ表示機能付き時計の第２の構成の平面図である。
【図６】実施の形態２にかかるＬＥＤ表示機能付き時計の断面構成を示す説明図である。
【符号の説明】
【００５３】
１０  ケース
１０ａ  反射面
１２  風防ガラス
１４  裏蓋
１６  アナログムーブメント
１８  ムーブメントホルダー
１８ａ  固定部
１８ｂ  凹部
１８ｃ  第一開口部
１８ｄ  第二開口部
２０  文字板
２２  第一開口部
２４  第二開口部
２６  運針軸
２８  秒針
３０  分針
３２  時針
３４  第１回路基板
３６  第２回路基板
３８  文字板照明用ＬＥＤ
４０  外部照明用ＬＥＤ
４２  ＬＥＤ駆動回路
４４  コネクター
４６  電池
４８  二次電池
５０  充電回路
５２  充電コイル
５４  巻真
【図１】
0005134384.tif 000002
【図２】
0005134384.tif 000003
【図３】
0005134384.tif 000004
【図４】
0005134384.tif 000005
【図５】
0005134384.tif 000006
【図６】
0005134384.tif 000007